(57)【要約】【課題】  外観意匠の幅が広く、自由な外観意匠にできる建物外壁とする。【解決手段】  建物躯体１の各階毎に取付用横材２を取付け、この上下に隣接した取付用横材２間に複数の縦材３を左右方向に間隔を置いて連結して枠部４を形成し、その枠部４にパネル部材５を装着したカーテンウォールを備えた建物外壁で、そのカーテンウォールの外観意匠を横強調タイプにできるし、左右寸法が異なる枠部４が上下方向に連結して見えるものにできるから、建物外壁の外観意匠の幅が広く、自由な外観意匠にできる。【選択図】  図１
2005290683.tif 000002
【特許請求の範囲】
【請求項１】
建物躯体に、上下方向に離隔して取付けた複数の取付用横材と、この上下に隣接した取付用横材間に左右方向に間隔を置いて連結した複数の縦材で枠部を形成し、この枠部にパネル部材を装着したカーテンウォールを備えていることを特徴とする建物外壁。
【請求項２】
建物躯体の各階毎に取付用横材を取付け、この上下に隣接した取付用横材間に縦材を連結して枠部を形成した請求項１記載の建物外壁。
【請求項３】
取付用横材と縦材は室内外方向にほぼ同一位置のパネル装着部を有し、かつ縦材の室内側部は取付用横材よりも室内側に突出し、
前記取付用横材の室内側部と、前記縦材の取付用横材よりも室内側に突出した室内側部とに亘ってブラケットを固着して取付用横材と縦材を連結した請求項１又は２記載の建物外壁。
【請求項４】
左右に隣接した縦材の室内側部間に室内側パネル部材を、パネル部材と対向して取付けた請求項３記載の建物外壁。
【請求項５】
建物躯体に、上下方向に離隔して取付けた複数の取付用横材と、この上下に隣接した取付用横材間に左右方向に間隔を置いて連結した複数の縦材で枠部を形成し、この枠部にパネル部材を装着したカーテンウォール及び、
前記建物躯体に取付けた単窓を備え、
前記取付用横材は、本体部と、その本体部の上部に設けた上パネル装着部と、前記本体部の下部に設けた下パネル装着部と、前記本体部の室内側上部に設けた上ファスナー取付部と、前記本体部の室内側下部に設けた下ファスナー取付部を有する形状で、
前記建物躯体に固着したファスナーを上下ファスナー取付部に固着して取付用横材が建物躯体に取付けられ、
前記取付用横材の本体部の上下方向中間部で切断した下パネル装着部と下ファスナー取付部を有する下半分を前記単窓の窓枠を構成する上枠とし、かつ上パネル装着部と上ファスナー取付部を有する上半分を下枠としたことを特徴とする建物外壁。
【請求項６】
建物躯体に、上下方向に離隔して取付けた複数の取付用横材と、この上下に隣接した取付用横材間に左右方向に間隔を置いて連結した複数の縦材で枠部を形成し、この枠部にパネル部材を装着したカーテンウォール及び、
前記カーテンウォールにおける上下に隣接した取付用横材間に設けたＰＣ板を備え、
前記取付用横材は、本体部と、その本体部の上部に設けた上パネル装着部と、前記本体部の下部に設けた下パネル装着部と、前記本体部の室内側上部に設けた上ファスナー取付部と、前記本体部の室内側下部に設けた下ファスナー取付部を有する形状で、
前記建物躯体に固着したファスナーを上下ファスナー取付部に固着して取付用横材が建物躯体に取付けられ、
前記上の取付用横材におけるＰＣ板と対向した下半分を、上パネル装着部と上ファスナー取付部と本体部の上部が残存して切断除去し、その本体部の上部をＰＣ板の上部と対向させ、
前記下の取付用横材におけるＰＣ板と対向した上半分を、下パネル装着部と下ファスナー取付部と本体部の下部を残存して切断除去し、その本体部の下部をＰＣ板の下部と対向させたことを特徴とする建物外壁。
【発明の詳細な説明】
【技術分野】
【０００１】
本発明は、建物躯体に取付けられたカーテンウォールなどで構成された建物外壁に関する。
【背景技術】
【０００２】
建物外壁を構成するカーテンウォールは種々提案されている。
例えば、特許文献１に開示されたように、建物躯体に複数の方立を左右方向に間隔を置いて取付け、この左右に隣接した方立間に横材を連結して方形状の枠部を形成し、その方形状の枠部にパネル部材を装着したカーテンウォールが提案されている。
【０００３】
【特許文献１】実公平７−３４９７９号公報
【発明の開示】
【発明が解決しようとする課題】
【０００４】
前述した従来のカーテンウォールは、方立が建物躯体に取付けられるから、その方立は強度的にしっかりとしたもので、その方立の幅寸法（左右寸法）が大きい。
このように、幅寸法の大きな方立が上下方向に連続するから、このカーテンウォールの外観意匠は方立が目立つ、いわゆる縦強調タイプである。
また、上下方向に連続した左右の方立間に横材を連結して枠部を形成しているので、上下方向に連続する枠部は、その左右寸法が同一で、このカーテンウォールの外観意匠は同一の左右寸法の枠部が上下方向に連続して見えるものである。
このようであるから、従来のカーテンウォールで構成された建物外壁は、その外観意匠の幅が狭く、自由な外観意匠とすることができない。
【０００５】
本発明は、前述の課題に鑑みなされたもので、その目的は、外観意匠の幅が広く、自由な外観意匠とすることができる建物外壁を提供することである。
【課題を解決するための手段】
【０００６】
第１の発明は、建物躯体１に、上下方向に離隔して取付けた複数の取付用横材２と、この上下に隣接した取付用横材２間に左右方向に間隔を置いて連結した複数の縦材３で枠部４を形成し、この枠部４にパネル部材５を装着したカーテンウォールを備えていることを特徴とする建物外壁である。
【０００７】
第１の発明においては、建物躯体１の各階毎に取付用横材２を取付け、この上下に隣接した取付用横材２間に縦材３を連結して枠部４を形成することが好ましい。
すなわち、このようにすれば、各階毎に枠部４が構成されるから、その各階毎の枠部４の左右寸法を異ならせて外観意匠の幅をより広げることができる。
【０００８】
また、第１の発明においては、取付用横材２と縦材３は室内外方向にほぼ同一位置のパネル装着部を有し、かつ縦材３の室内側部は取付用横材２よりも室内側に突出し、
前記取付用横材２の室内側部と、前記縦材３の取付用横材２よりも室内側に突出した室内側部とに亘ってブラケット５０を固着して取付用横材２と縦材３を連結することが好ましい。
すなわち、このようにすれば取付用横材２と縦材３をブラケット５０で強固に連結できるし、そのブラケット５０を固着する際にパネル部材５が邪魔にならない。
【０００９】
第１の発明においては、左右に隣接した縦材３の室内側部間に室内側パネル部材９を、パネル部材５と対向して取付けることができる。
【００１０】
第２の発明は、建物躯体１に、上下方向に離隔して取付けた複数の取付用横材２と、この上下に隣接した取付用横材２間に左右方向に間隔を置いて連結した複数の縦材３で枠部４を形成し、この枠部４にパネル部材５を装着したカーテンウォールＡ及び、
前記建物躯体１に取付けた単窓Ｄを備え、
前記取付用横材２は、本体部２０と、その本体部２０の上部に設けた上パネル装着部２１と、前記本体部２０の下部に設けた下パネル装着部２２と、前記本体部２０の室内側上部に設けた上ファスナー取付部２３と、前記本体部２０の室内側下部に設けた下ファスナー取付部２４を有する形状で、
前記建物躯体１に固着したファスナー８を上、下ファスナー取付部２３，２４に固着して取付用横材２が建物躯体１に取付けられ、
前記取付用横材２の本体部２０の上下方向中間部で切断した下パネル装着部２２と下ファスナー取付部２４を有する下半分を前記単窓Ｄの窓枠７３を構成する上枠７０とし、かつ上パネル装着部２１と上ファスナー取付部２３を有する上半分を下枠７１としたことを特徴とする建物外壁である。
【００１１】
第３の発明は、建物躯体１に、上下方向に離隔して取付けた複数の取付用横材２と、この上下に隣接した取付用横材２間に左右方向に間隔を置いて連結した複数の縦材３で枠部４を形成し、この枠部４にパネル部材５を装着したカーテンウォールＡ及び、
前記カーテンウォールＡにおける上下に隣接した取付用横材２間に設けたＰＣ板Ｂを備え、
前記取付用横材２は、本体部２０と、その本体部２０の上部に設けた上パネル装着部２１と、前記本体部２０の下部に設けた下パネル装着部２２と、前記本体部２０の室内側上部に設けた上ファスナー取付部２３と、前記本体部２０の室内側下部に設けた下ファスナー取付部２４を有する形状で、
前記建物躯体１に固着したファスナー８を上、下ファスナー取付部２３，２４に固着して取付用横材２が建物躯体１に取付けられ、
前記上の取付用横材２におけるＰＣ板Ｂと対向した下半分を、上パネル装着部２１と上ファスナー取付部２３と本体部２０の上部が残存して切断除去し、その本体部２０の上部をＰＣ板Ｂの上部と対向させ、
前記下の取付用横材２におけるＰＣ板Ｂと対向した上半分を、下パネル装着部２２と下ファスナー取付部２４と本体部２０の下部が残存して切断除去し、その本体部２０の下部をＰＣ板Ｂの下部と対向させたことを特徴とする建物外壁である。
【発明の効果】
【００１２】
請求項１に係る発明によれば、カーテンウォールの外観意匠を横強調タイプとすることができるし、左右寸法の異なる枠部が上下方向に連続して見えるものにできるから、建物外壁の外観意匠の幅が広く、自由な外観意匠とすることができる。
【００１３】
請求項５に係る発明によれば、外観意匠を横強調タイプとすることができるし、左右寸法の異なる枠部が上下方向に連続して見えるものにできるカーテンウォールと、単窓で建物外壁としているから、建物外壁の外観意匠の幅がより広く、より自由な外観意匠とすることができる。
また、カーテンウォールの取付用横材を切断した上半分、下半分を単窓の下枠、上枠としているから、１つの取付用横材を押出し成形すれば良く、コストが安い。
【００１４】
請求項６に係る発明によれば、外観意匠を横強調タイプとすることができるし、左右寸法の異なる枠部が上下方向に連続して見えるものにできるカーテンウォールと、ＰＣ板で建物外壁としているから、建物外壁の外観意匠の幅が広く、より自由な外観意匠とすることができる。
また、カーテンウォールの上下に隣接した取付用横材の下半分、上半分を切断して除去し残存した部分間に亘ってＰＣ板を取付けることができる。
【発明を実施するための最良の形態】
【００１５】
図１と図２と図３に示すように、建物躯体１に取付用横材２が上下方向に離隔して複数取付けてある。
この上下に隣接した取付用横材２間に複数の縦材３が左右方向（取付用横材２の長手方向）に間隔を置いて連結することで、枠部４を形成する。
この枠部４にパネル部材５を装着してカーテンウォールＡを構成している。
このカーテンウォールＡで建物外壁を構成している。
【００１６】
このようであるから、取付用横材２を強度的にしっかりとしたものとすれば良く、この取付用横材２の幅寸法（上下寸法）を大きく、このカーテンウォールの外観意匠を取付用横材２が目立つ、いわゆる横強調タイプとすることができる。
また、上下に隣接した取付用横材２間に縦材３を連結して枠部４を形成しているから、その左右に隣接した縦材３の左右寸法が異なるように縦材３を連結することで、上下に連続した枠部４の左右寸法を異ならせることができ、このカーテンウォールの外観意匠を、左右寸法の異なる枠部４が上下方向に連続して見えるものとすることができる。
このようであるから、建物外壁の外観意匠の幅が広く、自由な外観意匠とすることができる。
【００１７】
前記取付用横材２は建物躯体１の各階毎に取付けることが好ましい。
例えば、床スラブ６を支持した鉄骨７にファスナー８でそれぞれ取付ける。
このようにすれば、各階毎に独立した枠部４を有するカーテンウォールとすることができるから、上下に隣接した取付用横材２間に連結する左右の縦材３の左右寸法を１つの階毎に異ならせることにより、各階の枠部４の左右寸法を異ならせることができる。
【００１８】
また、各縦材３は建物躯体１には取付けてなく、その上下部が上下に隣接した取付用横材２に取付けてあると共に、その各縦材３の室内側部が取付用横材２よりも室内側に突出しているので、その左右に隣接した縦材３の室内側部間に室内側パネル部材９を、前記パネル部材５と対向して取付け、この室内側パネル部材９と前記パネル部材５との間の空気層１０を形成することができる。
前記室内側パネル部材９は１つの階における全ての縦材３の室内側部分間に取付けても良いし、いくつかの縦材３の室内側部分内に取付けても良い。これにより、室内側パネル部材９を設けた部分と、設けてない部分で見え方が違い、建物外壁の外観意匠の幅が広く、自由な外観意匠とすることができる。
【００１９】
前記各左右に隣接した縦材３間の下部寄りに腰部用横材１１がそれぞれ連結され、前述した枠部４を窓用枠部４ａと腰部用枠部４ｂに区画している。
前記窓用枠部４ａ、腰部用枠部４ｂの室外側部分にパネル部材５がそれぞれ装着され、窓用枠部４ａの室内側部分と前記腰部用枠部４ｂの室内側部分に前述の室内側パネル部材９がそれぞれ取付けてある。
そして、腰部用枠部４ｂに取付けた室内側パネル部材９よりも室内側に不透明パネル、例えば耐火パネル１２が取付けてある。
前記腰部用横材１１の室内側部分に窓台１３が取付けてあり、この窓台１３と床スラブ６に亘って室内側パネル１４が取付けてある。
【００２０】
次に、各部材の具体形状を説明する。
前記取付用横材２は、図４に示すように、本体部２０と、その上部に一体に設けた上パネル装着部２１と、本体部２０の下部に一体に設けた下パネル装着部２２と、前記本体部２０の室内側上部に設けた上ファスナー取付部２３と、本体部２０の室内側下部に設けた下ファスナー取付部２４を備えた形状である。
そして、上、下ファスナー取付部２３，２４にファスナー８が取付けられて取付用横材２が建物躯体１に取付けられる。
【００２１】
例えば、前記上、下ファスナー取付部２３，２４は後述するように上部あり溝２３ａ、下部あり溝２４ａである。
ファスナー８の室内側部が鉄骨７に固着され、そのファスナー８の室外側部に上部孔８ａと下部孔８ｂが形成してある。
前記上部あり溝２３ａと下部あり溝２４ａにボルト８ｃの頭部を挿入して設け、この各ボルト８ｃを前記上部孔８ａ、下部孔８ｂに挿入し、ナット８ｄを螺合してファスナー８の室外側部を取付用横材２に固着する。
【００２２】
前記上パネル装着部２１に上の階のカーテンウォールを構成するパネル部材５の下縁部が装着されると共に、下パネル装着部２２に下の階のカーテンウォールを構成するパネル部材５の上縁部が装着される。
この実施の形態では腰部用横材１１の下部と上パネル装着部２１とに亘って腰部のパネル部材５、例えば透明フロートガラスが装着され、その腰部用横材１１の上部と上の階の取付用横材２の下パネル装着部２２とに亘って窓部のパネル部材５、例えば複層ガラスが装着してある。
【００２３】
前記縦材３は図５に示すように、室外側左右両側部分にパネル装着部３０をそれぞれ有する。このパネル装着部３０は前記取付用横材２の上パネル装着部２１、下パネル装着部２２と面外方向（室内外側方向）に同一位置で、前記パネル部材５の左右縦縁部がそれぞれ装着される。
この縦材３は、その室内側部３ａの見付け寸法（左右寸法）が小さく、室外側部３ｂの見付け寸法が大きくなるように左右両側面３ｃが傾斜している。
このようであるから、室内側から縦材３を見た時にスッキリとした見栄えの良い外観となるし、室外側部の左右両側にパネル部材５の左右縦縁部をしっかりと装着できる。
【００２４】
具体的には、縦材３は左右両側面が傾斜面で室内側部の見付け寸法が小さく、室外側部の見付け寸法が大きい本体３１と、その本体３１の室外側部に取付けた取付片３２ａと押え片３２ｂで断面ほぼＴ字状の押え部材３２によって左右両側面に開口した凹部を有する形状で、その凹部がパネル装着部３０である。つまり、この凹部にパネル部材５の左右縦縁部をのみ込ませると共に、シール材３３でシールして装着してある。
このようであるから、凹部を深くしてパネル部材５ののみ込み寸法を大きくすることでしっかりと装着する必要があるので、縦材３の室外側部３ｂの見付け寸法を大きくしてある。
図５においては、パネル装着部３０に複層ガラスが装着してあるが、透明フロートガラスを装着する場合には厚さが薄いので本体３１の室外側部における左右両側にシール材用の型材を装着し、この型材と押え片で凹部を構成し、凹部の見込み寸法を小さくする。
【００２５】
前記窓部用枠部４ａに取付けた室内側パネル部材９は図４と図５と図６に示すように、上枠材４０、下枠材４１、左右の縦枠材４２を方形状に連結した枠体４３内にパネル４４、例えばポリカーボネイト板、化粧パネルなどを装着してある。
そして、左右の縦枠材４２を左右に隣接した縦材３の左右側面３ｃに取付ける。好ましくは着脱自在に取付ける。
例えば、縦材３の左右側面３ｃに受け部材４５を固着し、左右の縦枠材４２に係止部材４６を取付け、その係止部材４６を受け部材４５に係止して着脱自在に取付ける。
図４に示すように、前記取付用横材２の下部室内側部に取付けたプレート４７にシール材４８が設けてあり、図６に示すように、下枠材４１を窓台１３に接すると上枠材４０が前述のシール材４８に圧接するようにしてある。
なお、図５には後述する取付用横材２と縦材３を連通するブラケット等の図示が省略してある。
【００２６】
前記取付用横材２と縦材３は図７、図８、図９に示すようにブラケット５０を用いて連結される。
例えば、前記取付用横材２の上、下ファスナー取付部２３，２４に上下のブラケット５０の一端部５０ａが第１ボルト・ナット５１でそれぞれ固着され、その上のブラケット５０の他端部５０ｂ、下のブラケット５０の他端部５０ｂを上の縦材３の下端部、下の縦材３の上端部に第２ボルト・ナット５２でそれぞれ固着される。
このように、取付用横材２を建物躯体１に取付けるための上、下ファスナー取付部２３，２４を利用してブラケット５０の一端部５０ａを固着しているので、取付用横材２にブラケット５０を強固に固着できるから、取付用横材２と縦材３をブラケット５０で強固に連結できる。
【００２７】
この実施の形態では、左右一対のブラケット５０の一端部５０ａを取付用横材２における縦材３を境とした左右両側に位置してそれぞれ固着すると共に、その左右一対のブラケット５０の他端部５０ｂを縦材３の左右側面３ｃに接して第２ボルト・ナット５２を締付けることで一対のブラケット５０の他端部５０ｂで縦材３を挟持するように固着しており、取付用横材２と縦材３をより一層強固に連結できる。
なお、これに限ることはなく、例えば一つのブラケット５０で連結しても良い。
【００２８】
前記ブラケット５０による連結の好ましい例を説明する。
前記縦材３の見込み寸法（室内外側方向の寸法）は取付用横材２の見込み寸法よりも大きく、その縦材３の上端部、下端部の室外側部分を鉤形に切り欠きして上端部に室内側上向き突部３−１、下端部に室内側下向き突部３−２を形成する。
この室内側上向き突部３−１、室内側下向き突部３−２を取付用横材２の上ファスナー取付部２３、下ファスナー取付部２４とそれぞれ対向すると共に、縦材３の切欠き上端面３−３を第２パネル装着部２２（取付用横材２の室外側下面）と対向し、切欠き下端面３−４を第１パネル装着部２１（取付用横材２の室外側上面）と対向する。
前記取付用横材２の上、下ファスナー取付部２３，２４は、前述したように本体部２０の室内側面に上部あり溝２３ａと下部あり溝２４ａを室内側に開口して形成したものである。
【００２９】
前記縦材３の室内側上向き突部３−１、下向き突部３−２が下部あり溝２４ａ、上部あり溝２３ａとそれぞれ対向し、この下部、上部あり溝２４ａ，２３ａにボルト５１ａの頭部をそれぞれ挿入し、その各ボルト５１ａを上下のブラケット５０の一端部５０ａの孔５３にそれぞれ挿通し、かつナット５１ｂをそれぞれ螺合して上下のブラケット５０の一端部５０ａを固着する。
前記上下のブラケット５０は縦材３を境とした左右両側にそれぞれ取付けられ、その左右のブラケット５０の他端部５０ｂが縦材３の室内側上向き突部３−１、下向き突部３−２の左右側面３ｃに接し、ボルト５２ａを左右一方の他側部５０ｂの孔５４、縦材３の孔５５、左右他方の他側部５０ｂの孔５４に貫通し、ナット５２ｂを螺合して締付けることで挟持して固着する。
このようであるから、取付用横材２と縦材３をブラケット５０を用いて強固に連結できる。また、ブラケット５０を一端部５０ａと他端部５０ｂが略Ｌ字形状の単純なものにできる。
なお、取付用横材２と縦材３の連結の仕方は前述のものに限ることはない。
【００３０】
前記腰部用横材１１は図６に示すように、ブラケット３４と第１・第２ボルトナット３５，３６で縦材３の側面３ｃに連結してある。
具体的には、腰部用横材１１の室内側突部１１ａの長手方向端部寄りを切断して除去し、その残存した部分の室内側面にブラケット３４の一側部３４ａを接し、腰部用横材１１に第１ボルト・ナット３５のナット３５ａを設け、そのナット３５ａにボルト３５ｂを螺合して固着する。
左右のブラケット３４の他側部３４ｂを縦材３の両側面３ｃにそれぞれ接し、その左右のブラケット３４の他側部３４ｂ間に第２ボルト・ナット３６のボルト３６ａを貫通し、ナットを螺合して縦材３を挟持するように固着する。
前記ブラケット３４は窓台１３によってカバーされる。
【００３１】
前述したカーテンウォールＡによってのみ建物外壁を構成することができるが、このカーテンウォールＡとＰＣ板と単窓を適宜に組み合せて建物外壁を構成することもできる。
例えば、図１０と図１１と図１２に示すように前述したカーテンウォールＡと、ＰＣ板Ｂと、そのＰＣ板Ｂで構成された開口部Ｃに取付けた単窓Ｄで建物外壁を構成する。
このように構成した建物外壁であれば、外観意匠の幅が著しく大きい。
【００３２】
前述の建物外壁において、カーテンウォールＡの上下に隣接した取付用横材２間にＰＣ板Ｂを取付ける一例を説明する。
図１３に示すように、上の取付用横材２の長手方向におけるＰＣ板Ｂと対向した部分における下半分（本体部２０の下部、下ファスナー取付部２４、下パネル装着部２２）を切断して除去し、本体部２０の上部と上ファスナー取付部２３と上パネル装着部２１（つまり、上半分）を残存させる。
前記残存した上ファスナー取付部２３を利用してファスナー８に前述のようにして取付ける。
前記残存した本体部２０の下部に水切６０を取付け、この水切６０でＰＣ板Ｂの上端部をカバーし、その水切６０とＰＣ板Ｂの上端面との間をシール材６１でシールする。
【００３３】
図１４に示すように、下の取付用横材２の長手方向におけるＰＣ板Ｂと対向した部分における上半分（本体部２０の上部と上ファスナー取付部２３と上パネル装着部２１）、つまり前述した上の取付用横材２の残存した部分に相当する部分を切断して除去し、本体部２０の下部と下ファスナー取付部２４と下パネル装着部２２、つまり前述の上の取付用横材２における切断して除去した下半分を残存させる。
前記残存した下ファスナー取付部２４を利用して前述のようにファスナー８に取付ける。
前記残存した取付用横材２の上部に下横材６２を取付け、この下横材６２とＰＣ板Ｂの下端面との間をシール材６３でシールする。
【００３４】
前記ＰＣ板Ｂの縦縁部と隣接する縦材３は、他の縦材３と同一であっても良いが、左右一方側にのみパネル装着部３０を有する形状であることが好ましい。
例えば、図１５に示すように、縦材３を中空断面一体形状で、左右の一方の側面３ｃ（ＰＣ板Ｂと反対側の側面）の室外側寄りが開口してパネル装着部３０としてある。
そして、ＰＣ板Ｂの縦縁部における室内側部に切欠段部６４が形成され、この切欠部６４に縦材３の室外側部が位置し、かつシール材６５でシールされる。
【００３５】
このようであるから、カーテンウォールＡを構成する取付用横材２の下半分、上半分を切断して除去することで上半分、下半分を残存させることで、その残存した上半分、下半分間にＰＣ板Ｂを取付けできる。
【００３６】
前記単窓Ｄは図１０と図１２に示すように、上枠７０と下枠７１と左右の縦枠７２を方形枠組みした窓枠７３を備え、この窓枠７３にパネル部材７４、例えば複層ガラスが装着してある。
前記上枠７０、下枠７１は前述のカーテンウォールＡを構成する取付用横材２を上下に２分割し、その下半分を上枠７０、上半分を下枠７１として利用している。
これによって、単窓Ｄの上枠７０、下枠７１を取付用横材２とは別に押出し成形する必要がなく、コストが安い。
【００３７】
例えば、図１６に示すように取付用横材２を前述したように上半分を切断し、残存した下半分を上枠７０とする。
図１７に示すように取付用横材２を前述したように下半分を切断し、残存した上半分を下枠７１とする。この場合には、上パネル装着部２１の見込み寸法が小さいので、図７に図示されている鉤片２１ａの部分を切断して除去する。
【００３８】
すなわち、取付用横材２が図７に示すように本体部２０、上パネル装着部２１、下パネル装着部２２、上、下ファスナー取付部２３，２４を有する形状であるから、その本体部２０を点線ａと点線ｂで切断することで、その上半分を下枠７１、下半分を上枠７０として利用できる。
前記取付用横材２の好ましい形状を図７に基づいて説明する。
前記本体部２０は室内側縦板２０ａと室外側縦板２０ｂを連結片２０ｃで連結した断面形状である。
前記上パネル装着部２１は、本体部２０の上部に一体的に設けた上中空部２１ｂと、この上中空部２１ｂの下部室外側に設けた突出片２１ｃと、この突出片２１ｃに係止して取付けた押え片２１ｄで上向きの凹部を有し、その上向きの凹部が上パネル装着部２１である。
前記上中空部２１ｂの上部室外側に前述の鉤片２１ａが設けてある。
前記下パネル装着部２２は、本体部２０の下部に一体的に設けた下中空部２２ａと、この下中空部２２ａの上部室外側に設けた突出片２２ｂと、この突出片２２ｂに係止して取付けた押え片２２ｃで下向きの凹部を有し、その下向きの凹部が下パネル装着部２２である。
前記上、下ファスナー取付部２３，２４は、本体部２０の室内側縦板２０ａの上下に一対の鉤片２５，２６を上下方向に間隔を置いて設けて上部、下部あり溝２３ａ，２４ａを形成してある。
なお、上中空部２１ｂの上部室内側に上横片２７、下中空部２２ａの下部室内側に下横片２８が室内側に向けてそれぞれ一体的に設けてあり、上横片２７にカバー材２９を取付けられ、下横片２７に前記プレート４７が設けてある。
【００３９】
取付用横材２は前述の断面形状であるから、その室内側縦板２０ａ、室外側縦板２０ｂを点線ａ、ｂで切断することで上枠７０、下枠７１とすることができる。
【００４０】
前記左右の縦枠７２は、図示は省略するが図１５に示す縦材３と同一である。
【００４１】
なお、図示は省略するが、カーテンウォールＡと単窓Ｄで建物外壁としても良いし、カーテンウォールＡとＰＣ板Ｂで建物外壁としても良い。
【図面の簡単な説明】
【００４２】
【図１】カーテンウォールの一部外観図である。
【図２】図１のＥ−Ｅ断面図である。
【図３】図１のＦ−Ｆ断面図である。
【図４】図２のＧ部拡大図である。
【図５】図３のＨ部拡大図である。
【図６】図２のＩ部拡大図である。
【図７】取付用横材と縦材の連結部の縦断面図である。
【図８】図７のＪ−Ｊ断面図である。
【図９】取付用横材と縦材の連結部の斜視図である。
【図１０】建物の外壁の一部外観図である。
【図１１】図９のＫ−Ｋ断面図である。
【図１２】図９のＬ−Ｌ断面図である。
【図１３】図１１のＭ部拡大図である。
【図１４】図１１のＮ部拡大図である。
【図１５】図１２のＯ部拡大図である。
【図１６】図１０のＰ−Ｐ拡大断面図である。
【図１７】図１０のＱ−Ｑ拡大断面図である。
【符号の説明】
【００４３】
１…建物躯体、２…取付用横材、３…縦材、４…枠部、５…パネル部材、８…ファスナー、９…室内側パネル部材、２０…本体部、２１…上パネル装着部、２２…下パネル装着部、２３…上ファスナー取付部、２４…下ファスナー取付部、３０…パネル装着部、５０…ブラケット、５０ａ…一端部、５０ｂ…他端部、７０…上枠、７１…下枠、７２…縦枠、７３…窓枠、Ａ…カーテンウォール、Ｂ…ＰＣ板、Ｄ…単窓。
【図１】
2005290683.tif 000003
【図２】
2005290683.tif 000004
【図３】
2005290683.tif 000005
【図４】
2005290683.tif 000006
【図５】
2005290683.tif 000007
【図６】
2005290683.tif 000008
【図７】
2005290683.tif 000009
【図８】
2005290683.tif 000010
【図９】
2005290683.tif 000011
【図１０】
2005290683.tif 000012
【図１１】
2005290683.tif 000013
【図１２】
2005290683.tif 000014
【図１３】
2005290683.tif 000015
【図１４】
2005290683.tif 000016
【図１５】
2005290683.tif 000017
【図１６】
2005290683.tif 000018
【図１７】
2005290683.tif 000019